(57)【要約】      （修正有）【課題】把手を単に押す、引くだけでドアが開閉できかつ施錠機能を有するラッチ錠を提供する。【解決手段】箱状の錠ケース２と、該ケースの前方にとりつけられるラッチ３と、該ラッチの後方にとりつけられるラッチスプリング４と、上記ラッチ及びラッチスプリングの後方にとりつけられるデッドボルト５と、該デッドボルトに並設してとりつけられるロックハブ７ならびにロックスプリング８より成る。施錠状態を保持するには、ロックハブ７の回動軸７ａを回動することによって駆動係合部７ｂが回動して、これに係合しているデッドボルトが前方に移動し、同時にデッド部５ｂが錠ケース２より前方に突出して受座１０の挿入孔１０ａに納まる。また、解錠状態を保持するには、ロックハブ７の回動軸を逆方向に回動することによって駆動係合部が逆の方向に回動してデッドボルトが後方に移動し、同時にデッド部が受座の挿入孔から脱出して錠ケースに納まる。【選択図】図３
0003162914.tif 000002
【実用新案登録請求の範囲】
【請求項１】
箱状の錠ケースと、該ケースの前方にとりつけられるラッチと、該ラッチの後方にとりつけられるラッチスプリングと、上記ラッチ及びラッチスプリングの後方にとりつけられるデッドボルトと、該デッドボルトに並設してとりつけられるロックハブならびにロックスプリングを備えており、上記ラッチは前端に平面視で両面傾斜の山形状のラッチ部を、ラッチ部の後方にラッチスプリングの支持部を形成してなり、上記デッドボルトは主板部と該主板部の前方の上下に、あるいは上下の一方にデッド部を折曲形成し、主板部の後方にロックハブに係合する係合部を形成してなり、さらに上記ラッチスプリングよってラッチはラッチ部が錠ケースの前面から突出、没入自在に弾支されており、上記ロックハブは回動軸と、該回動軸の所定の周縁に形成される駆動係合部およびロックスプリングの係合部とを形成してなり、かつ該ロックハブはロックスプリングによって付勢されて回動するように形成されており、ロックハブの回動によってデッドボルトの係合部に駆動係合部が係合してデッドボルトを前後に移動するように構成されており、施錠状態を保持するにはロックハブの回動軸を回動することによって駆動係合部が回動して、これに係合しているデッドボルトが前方に移動し、同時にデッド部が錠ケースより前方に突出して受座の挿入孔に納まるように構成されており、解錠状態を保持するにはロックハブの回動軸を逆方向に回動することによって駆動係合部が逆の方向に回動してデッドボルトが後方に移動し、同時にデッド部が受座の挿入孔から脱出して錠ケースに納まるように構成されていることを特徴とするラッチ錠。
【請求項２】
受座に形成しているラッチの受口を、平面視で両面傾斜の山形状のラッチ部が合致する山形形状に形成されていることを特徴とする請求項１記載のラッチ錠。
【請求項３】
ロックハブは回動軸の一方側にサムターンを取り付け、他方側にエマージエンシーを取り付けていることを特徴とする請求項１または請求項２記載のラッチ錠。
【請求項４】
ロックハブの回動軸の一方側にサムターンを取り付け、他方側にキー操作によるロック機構を取り付けていることを特徴とする請求項１または請求項２記載のラッチ錠。
【考案の詳細な説明】
【技術分野】
【０００１】本考案はラッチ錠の改良に関する。
【背景技術】
【０００２】従来ラッチ錠は公知である。その構成はドアの前面（受座対向面）に平面視で片面傾斜のラッチ（ラッチ部）が突出、没入自在に弾支されており、ドアを閉じる際にはラッチ部の傾斜面が受座側の柱に当たって押し戻されてドアの中に没入し、受座の開口に対向した位置で受座の中に納まり閉状態になる。ドアを開けるにはラッチに係合しているハンドルを把手して回動してラッチを受座から脱出してドアの中に納めて開状態にしている。
さらにドアを閉状態に継続保持するためにハンドルの回動を阻止するロック機構を取り付ける構成もある。さらにまたロック表示装置を備えている構成もある。上記構成のラッチ錠は室内用であり、トイレや個室部屋に使用されている。【０００３】玄関ドアに用いられるラッチ錠は、開閉状態を保持する構成は上記室内用と共通している点があるが、相違する点は別に施錠機構を備えている。施錠機構は、かんぬきがラッチとは別に設けられており、室内側にはサムターンを取り付け、室外側にはキー操作によるロック機構を取り付け、かんぬきがこれに対面する受座に突出、没入自在に構成されている。
【考案の概要】
【考案が解決しようとする課題】
【０００４】上記従来のラッチ錠において、前者の室内用のラッチ錠は、開状態にするにはハンドルを回動操作してラッチ部を受座から脱出させる構成であり、ハンドルの回動操作は幼児や小人には不向きであり、またハンドルはそれなりに大きな、かさばる形状となり、ドアの外表面に大きく出っ張りドアを開けた際に隣接の壁や調度品に接触して破損するという危惧がある。【０００５】後者の玄関用のラッチ錠はドアの開閉状態を保持するために上記同様の構成を有し、かつ施錠状態を保持するために別にかんぬきをとりつけ、サムターン、キー操作によるロック機構を取り付けており、そのために部材数が増え、構成が複雑になるなどの問題点がある。
本考案は上記従来の欠点を解消している。
【課題を解決するための手段】
【０００６】その一は「箱状の錠ケースと、該ケースの前方にとりつけられるラッチと、該ラッチの後方にとりつけられるラッチスプリングと、上記ラッチ及びラッチスプリングの後方にとりつけられるデッドボルトと、該デッドボルトに並設してとりつけられるロックハブならびにロックスプリングを備えており、上記ラッチは前端に平面視で両面傾斜の山形状のラッチ部を、ラッチ部の後方にラッチスプリングの支持部を形成してなり、上記デッドボルトは主板部と該主板部の前方の上下に、あるいは上下の一方にデッド部を折曲形成し、主板部の後方にロックハブに係合する係合部を形成してなり、さらに上記ラッチスプリングよってラッチはラッチ部が錠ケースの前面から突出、没入自在に弾支されており、上記ロックハブは回動軸と、該回動軸の所定の周縁に形成される駆動係合部およびロックスプリングの係合部とを形成してなり、かつ該ロックハブはロックスプリングによって付勢されて回動するように形成されており、ロックハブの回動によってデッドボルトの係合部に駆動係合部が係合してデッドボルトを前後に移動するように構成されており、施錠状態を保持するにはロックハブの回動軸を回動することによって駆動係合部が回動して、これに係合しているデッドボルトが前方に移動し、同時にデッド部が錠ケースより前方に突出して受座の挿入孔に納まるように構成されており、解錠状態を保持するにはロックハブの回動軸を逆方向に回動することによって駆動係合部が逆の方向に回動してデッドボルトが後方に移動し、同時にデッド部が受座の挿入孔から脱出して錠ケースに納まるように構成されていることを特徴とするラッチ錠」である。【０００７】その二は「上記構成において、受座に形成しているラッチの受口を、平面視で両面傾斜の山形状のラッチ部が合致する山形形状に形成されていることを特徴とするラッチ錠」である。【０００８】その三は「上記その一、その二に記載の構成のラッチ錠において、ロックハブは回動軸の一方側にサムターンを取り付け、他方側にエマージエンシーを取り付けていることを特徴とするラッチ錠」である。【０００９】その四は「上記その一、その二に記載の構成のラッチ錠において、ロックハブの回動軸の一方側にサムターンを取り付け、他方側にキー操作によるロック機構を取り付けていることを特徴とするラッチ錠」である。
【考案の効果】
【００１０】本考案は錠ケースの中にとりつけられている各部材において、ラッチは前端に平面視で両面傾斜の山形状のラッチ部を、該ラッチ部の後方にラッチスプリングの支持部を形成してなり、ラッチ部が錠ケースの前面から突出、没入自在に弾支されており、よってドアの開閉はドアに取り付けている固定の把手を単に引き寄せ、あるいは押動によって受座からの離脱あるいは受座への納まりとなる。よって把手は極めて簡単な構成でよく、従来のハンドルが不要であり、小人、幼児でも容易に開閉できる。また把手は指がかかる程度でよく薄くできるので、従来のハンドルが隣接の壁や調度品に接触して破損するという欠点が解消される。さらにまた受座のラッチ受口をラッチ部の先端が合致する山形形状に形成することにより閉状態においてドアのがたつきがない。【００１１】さらにまたロックハブの回動によってこれにデッドボルトが係合して前後移動し、同時にデッド部が錠ケースより前方に突出または没入して受座の挿入孔に突入、没入自在に移動するように構成されている。よってドアの施錠、解錠状態を保持できる。【００１２】ロックハブの回動軸の一方側、トイレ等の室内側にサムターンをとりつけ、他方側にエマージエンシーを取り付けることによって、室内、室外からの施錠、解錠ができる。
また玄関ドアにおいては、ロックハブの回動軸の室内側にサムターンを取り付け、室外側にキー操作によるロック機構を取り付ければ室内、外からの施錠、解錠ができる。
【図面の簡単な説明】
【００１３】
【図１】本考案ラッチ錠をドアにとりつけた開閉状態、解錠状態の説明用の正面図。
【図２】図１のＸ−Ｘ断面の説明図。
【図３】図１に示すラッチ錠の施錠状態の説明用の正面図。
【図４】Ａは錠ケース（ケース本体）の略正面図、ＢはＡのＸ−Ｘ断面図、ＣはＡのＹ−Ｙ断面図。
【図５】Ａは錠ケース（蓋体）の略正面図、ＢはＡのＸ−Ｘ断面図。
【図６】Ａはラッチの略正面図、Ｂは平面図、Ｃは左側面図、Ｄは右側面図。
【図７】ラッチスプリングの略正面図。
【図８】Ａはデッドボルトの略平面図、ＢはＡのＸ−Ｘ断面図、Ｃは正面図、ＤはＡのＹ−Ｙ断面図。
【図９】Ａはデッドカバーの平面図、ＢはＡのＸ−Ｘ断面図、Ｃは右側面図。
【図１０】Ａはロックハブの略正面図、Ｂは平面図、ＣはＡのＸ−Ｘ断面図。
【図１１】ロックスプリングの略正面図。
【図１２】Ａは受座の略正面図、ＢはＡのＸ−Ｘ断面図、ＣはＡのＹ−Ｙ断面図。
【図１３】Ａは把手付のラッチ錠の説明用の略平面図、Ｂは同じく正面図。
【考案を実施するための形態】
【００１４】本考案について実施例を図面を用いて説明する。
図１、図２において、１はラッチ錠で、ドアＡの一側面、受座の対向面にとりつけられる。２は箱状の錠ケース、２ａはケース本体、２ｂは蓋体である。図１は蓋体を削除している。３は錠ケースの前方に取り付けられるラッチ、４はラッチの後方にとりつけられるラッチスプリング、５はラッチ及びラッチスプリングの後方にとりつけられるデッドボルトである。６はデッドカバーである。７はロックハブ、８はロックスプリングで、デッドボルトに並設している。９はフロントである。上記各部材の詳細は後述する。
【００１５】図示より明らかな通りラッチ３のラッチ部３ａが平面視で両面傾斜の山形状に形成されており、このラッチ部の後方にラッチスプリングの支持部を形成している。この支持部にコイル状のラッチスプリングを嵌入し、支持している。よってラッチは錠ケースに対して突出、没入可能に弾支されている。
デッドボルト５は主板部５ａと該主板部の前方の上下に、あるいはいずれか一方に（図面では上下に）デッド部を折曲形成し、主板部の後方にロックハブに係合する係合部を形成している。受座１０の受口１０ｂがラッチ部３ａに合致する山形形状である。
【００１６】ロックハブ７は回動軸７ａと該回動軸の所定の周縁に上記デッドボルトの主板部の後方の係合部に係合してデッドボルトを前後に移動する駆動係合部７ｂと、ロックスプリングの係合部７ｃとを形成してなり、かつロックハブは回動軸がロックスプリングによって付勢されて回動するように形成されている。よってロックハブの前後の回動に追従してデッドボルトが前後にスムーズに移動する。
【００１７】図３はロックハブを略９０度反時計方向に回動した際のデッドボルトの前方への移動状態、つまり施錠状態を示す。施錠状態にするにはロックハブの回動軸を回動することによって駆動係合部が回動し、これに係合しているデッドボルトの係合部が前方に移動し、同時にデッド部が前方に移動して錠ケースより前方に突出して受座１０のデッド部挿入孔１０ａの中に納まるように構成されている。１０ｂはラッチの受口である。
【００１８】解錠状態を保持するにはロックハブの回動軸を逆方向に回動すれば駆動係合部が逆方向に回動して、デッドボルトが後方に移動し、同時にデッド部が後方に移動して受座から脱出して錠ケースに納まるように構成されている。
【００１９】図４から図１３は、図１から図３に示している各部材を含めてラッチ錠の部材の図面である。
図４、図５において２は箱状の錠ケースで、２ａはケース本体、２ａ１は前面版、２ａ２はラッチが突、没する開口、２ａ３は後述のデッドボルトのデッド部が突出、没入する挿入孔、２ａ４はロックハブの回動軸がとりつけられる軸孔である。２ａ５は蓋体取付脚の取着孔、２ａ６はロックスプリング受け金具の取着孔である。
２ｂは蓋体、２ｂ１はロックハブの回動軸が取り付けられる軸孔で、上記２ａ４の軸孔と対である。２ｂ２は蓋体の取着孔である。
【００２０】図６において３はラッチで、前端に平面視両面傾斜の山形状のラッチ部３ａを、該ラッチ部の後方にラッチスプリングの支持部３ｂを形成している。３ｃは当接部である。
【００２１】図７において４はコイル状のラッチスプリングである。
図８において５はデッドボルトで、主板部５ａと、該主板部の前方の上下に、あるいは上下のいずれか一方にデッド部５ｂを折曲形成している。該主板部の後方にロックハブに係合する凹状の係合部５ｃを形成している。なお図面ではデッド部５ｂを主板部の前方上下に形成している。
【００２２】図９において、６はデッドカバーで、デッドボルトのデッド部を包囲している。このカバーは樹脂製であり、金属製のデッドボルトによる、仮に不用意な損傷を回避するための緩衝効果のためであり、必ずしも必要ではない。６ａは挿入孔、６ｂは止具の止着孔である。
【００２３】図１０において７はロックハブである。７ａは回動軸で、その所定の周縁に駆動係合部７ｂと、ロックスプリングの係合部７ｃを形成している。
ロックハブの回動によって駆動係合部７ｂがデッドボルトの係合部５ｃに係合して回動し、デッドボルトを前後に移動する。７ｄは駆動軸孔である。室内用のドアであれば、この軸孔の一方側にサムターン、他方側にエマージエンシーがとりつけられる。また玄関ドアであれば室内側にサムターン、室外側にたとえばシリンダ錠など、キー操作によるロック機構がとりつけられる。
【００２４】図１１において８はロックスプリングである。ロックスプリングは一端はロックハブのロックスプリングの係合部７ｃに係合しており、他端はケースに取り付けられるロックスプリング受けに係合してなり、ロックハブはこのスプリングよって付勢されて回動するように形成されており、よってデッドボルトの前後移動がスムーズに行われる。
【００２５】図１２において、１０は受座、１０ａはデッド部の挿入孔で、ラッチの受口１０ｂの上下に形成している。該受口は図のＢに示すごとくラッチ部の先端が合致する山形形状に形成している。受口の形状は公知の方形の開口でもよいが、上記形状であれば閉状態におけるドアの受座への納まりがよくがたつきがない。
【００２６】図１３は本考案の把手付のラッチ錠を示す。１１は把手で、ドアの内、外面に固定状態で取り付けられる。指が引っ掛けられる程度の大きさ、厚さがあればよく、従来のハンドル回動式の把手のように大型でなくてもよい。ラッチ部３ａが両面傾斜の山形状であるので、ドアの開閉操作においては把手を持って引く、または押すだけで受座から脱出してまたは受座に納まり開閉できる。
１２はサムターン、１３はエマージエンシーである。前記しているようにロックハブ７の軸孔に（軸孔に変えて軸突起でもよい）上記部材の係合部が係合しており、サムターンの回動によってロックハブが回動し、デッドボルトが前方に移動してデッド部５ｂが受座１０の挿入孔１０ａの中に納まり施錠状態になる、図１３Ｂに示す。同時にエマージエンシー１３も回動し、これに一体的に係合している表示板１４も回動する。１１ａは把手の表示孔で上記表示板の表示を表す。緊急時に外側から解錠したい場合にエマージエンシーを逆方向、元の方向に回動すればロックハブ、サムターンも元の方向に回動してデッドボルトが移動し、デッド部が受座の挿入孔から脱出する。
【００２７】以上本考案の実施例をもって説明しているが、本考案の技術思想を逸脱しない範囲の設計変更は可能である。ロックハブへのサムターンの取り付け方、エマージエンシーの取り付け方、キー操作によるロック機構の取り付け方などは公知の構造が採択できる。
また従来ラッチ錠は、ハンドル操作によって受座からラッチを脱出しているが、本考案のラッチ錠は把手がラッチの突出、没入機構に関与せず、よって把手の取り付け位置は自在に設定できる。
【符号の説明】
【００２８】Ａ      ドア
１      ラッチ錠
２      錠ケース
２ａ    ケース本体
２ｂ    蓋体
３      ラッチ
３ａ    ラッチ部
３ｂ    支持部
３ｃ    当接部
４      ラッチスプリング
５      デッドボルト
５ａ    主板部
５ｂ    デッド部
５ｃ    係合部
６      デッドカバー
７      ロックハブ
７ａ    回動軸
７ｂ    駆動係合部
７ｃ    係合部
７ｄ    軸孔
８      ロックスプリング
９      フロント
１０    受座
１０ａ  挿入孔
１０ｂ  受口
１１    把手
１２    サムターン
１３    エマージエンシー
１４    表示板
【図１】
0003162914.tif 000003
【図２】
0003162914.tif 000004
【図３】
0003162914.tif 000005
【図４】
0003162914.tif 000006
【図５】
0003162914.tif 000007
【図６】
0003162914.tif 000008
【図７】
0003162914.tif 000009
【図８】
0003162914.tif 000010
【図９】
0003162914.tif 000011
【図１０】
0003162914.tif 000012
【図１１】
0003162914.tif 000013
【図１２】
0003162914.tif 000014
【図１３】
0003162914.tif 000015